(57)【要約】【課題】用紙が複数枚重なった状態で搬送される重送か否かを検知させる重送検知装置であって、連続的な重送検知を可能にすると共に、重送検知の信頼性、性能を向上させた重送検知装置、及び、その重送検知装置を備えた画像形成装置を提供すること。【解決手段】給紙部２に収納される用紙２０と関連付けられ用紙情報の初期値が記録されると共に用紙情報の更新が記録される用紙情報記憶手段と、発光部８１と受光部８２とを備え、搬送路Ａに搬送中の用紙２０の透過状態を検出させてその透過状態に基づいた用紙情報を検知させる用紙情報検知手段と、その用紙情報検知手段で検知された１枚目の用紙情報と初期値とを比較させて重送か否かを判断させると共に、その判断結果が重送でないと判断した場合に、用紙情報検知手段で検知された用紙情報を用紙情報記憶手段に更新記録させて次の重送判断の被比較値とさせる制御手段とを備える。【選択図】図２
2008290810.tif 000002
【特許請求の範囲】
【請求項１】
用紙収納手段から搬送路に搬送される用紙が複数枚重なった状態で搬送される重送か否かを検知、判定する重送検知装置であって、
前記用紙収納手段に収納される前記用紙と関連付けられた用紙情報の初期値が記憶されると共に前記用紙情報の更新内容が記憶される用紙情報記憶手段と、
前記搬送路に設けられ、搬送中の前記用紙の透過状態を検出してその透過状態に基づいた前記用紙情報を検知する用紙情報検知手段と、
該用紙情報検知手段で検知された１枚目の前記用紙情報と、前記用紙情報の初期値とを比較させて重送か否かを判断すると共に、重送でないと判断した場合に、前記用紙情報検知手段で検知された前記用紙情報を前記用紙情報記憶手段に更新記憶させて次の重送判断の被比較値とする制御手段と、
を備えたことを特徴とする重送検知装置。
【請求項２】
前記用紙収納手段は、前記用紙の送り出しを切り替え可能に複数設けられると共に、夫々の前記用紙収納手段から搬送される夫々の前記用紙は前記搬送路に搬送可能に構成され、
前記用紙情報記憶手段は、夫々の前記用紙収納手段毎に収納される用紙毎に関連づけられた前記初期値が記憶され、
前記制御手段は、前記用紙収納手段を切り替える度に、切り替えられた前記用紙と関連付けた前記初期値を用いて１枚目の前記用紙情報との比較をさせて重送か否かを判断することを特徴とする請求項１記載の重送検知装置。
【請求項３】
前記用紙情報検知手段は、発光部と受光部とが前記搬送路を挟んで対向するように配設されると共に、前記用紙の種類毎に前記発光部の発光量を関連付けて、複数設けられた前記用紙収納手段の切り替えに対応して前記発光部の発光量を調整可能に構成されていることを特徴とする請求項２記載の重送検知装置。
【請求項４】
前記用紙情報検知手段は、前記発光量の調整を入力可能に構成されていることを特徴とする請求項３記載の重送検知装置。
【請求項５】
夫々の前記用紙収納手段と関連付けられ、前記用紙を選択させる用紙情報設定手段を備えたことを特徴とする請求項２乃至４の何れか一項に記載の重送検知装置。
【請求項６】
前記制御手段は、前記用紙情報検知手段により検知された１枚目の前記用紙の前記用紙情報と前記初期値とが著しく異なる場合、前記用紙収納手段と前記用紙とを関連付けに間違いがないかを報知させる報知手段を備えたことを特徴とする請求項１乃至５の何れか一項に記載の重送検知装置。
【請求項７】
前記制御手段は、初期値としての前記用紙情報が、前記用紙情報検知手段により検知された１枚目の前記用紙の前記用紙情報と著しく異なる場合、前記発光部の発光量を替えて再度重送か否かを判断することを特徴とする請求項３乃至５の何れか一項に記載の重送検知装置。
【請求項８】
初期値としての前記用紙情報は、前記用紙の誘電率に基づいていることを特徴とする請求項１乃至７の何れか一項に記載の重送検知装置。
【請求項９】
前記用紙収納手段に設けられ、該用紙収納手段に収納された前記用紙の誘電率を検出する第２用紙情報検出手段を備え、
前記制御手段は、前記第２用紙情報検出手段で検出された前記誘電率に基づいて前記初期値を導出させて前記用紙情報記憶手段に記憶させることを特徴とする請求項１乃至８の何れか一項に記載の重送検知装置。
【請求項１０】
前記用紙情報検知手段は、ジャム信号を出力するジャム検知手段を兼ねており、前記用紙情報検知手段が所定時間に前記用紙を検出しないとき、前記制御手段は、ジャム信号が出力されたこととみなすことを特徴とする請求項１乃至９の何れか一項に記載の重送検知装置。
【請求項１１】
請求項１乃至１０の何れか一項に記載の重送検知装置と電子写真方式の画像形成手段とを備えたことを特徴とする画像形成装置。
【発明の詳細な説明】
【技術分野】
【０００１】
本発明は、用紙が複数枚重なった状態で搬送される重送か否かを検知させる重送検知装置と、その重送検知装置を備えた電子写真方式の画像形成装置に関する。
【背景技術】
【０００２】
近年の画像形成装置（複写機、プリンタ等）は、高速化、高画質化に伴って印刷業界に用いられるようになっているが、この印刷業界のみならず、オフィスでのビジネス文章印刷においてもジャム等によるダウンタイム低減防止は重要な課題となっている。とりわけ、大量印刷時に、用紙が複数枚重なった状態で搬送される所謂重送による未印刷用紙の混入は、チェック作業を含め多大な損害となることから、従来、重送の検知を行う装置が提案されている。
この重送の検知を行う装置（重送検知装置）としては、例えば、給紙ユニットから給紙された用紙が１枚づつ分離されたか否か、つまり重送されているか否かを検出するための重送検出センサをレジストローラ手前の搬送路近傍に設け、一枚の用紙の先端と後端の通過を検出し、検出した各時間から正常な用紙通過時間と比較して、あるいは時間を用紙の搬送路方向の長さに換算した上で用紙１枚の搬送路方向の長さと比較して、重送が発生しているか否かを検知している。
また、他の技術手段として、用紙が搬送ローラ対を通過する際に用紙の厚みを測定、あるいは、光透過率測定によって用紙の厚みを測定し、１枚の用紙の厚みより大きいと判断した場合に重送が発生したと検知、判定するものが挙げられる（例えば特許文献１参照）。
このように、いくつかの重送検知の技術手段が挙げられるが、用紙の通過時間、または、用紙の長さに基づいて重送検知を行う技術手段は、重送を起こしている複数枚の用紙が搬送方向にある程度ずれていることが前提であるため、複数枚の用紙が完全に重なっている場合は、重送検知ができない。
一方、光透過率測定に基づいて重送検出を行う手段は、複数枚の用紙が位置ずれなく完全に重なっていても検知が可能であり好適なものである。従来の光透過率測定に基づく重送検知の方法は、光透過率測定によって測定した用紙の厚さと、先に搬送された用紙（先行紙）の厚さとを比較して重送か否かを検知していた。したがって、１枚目の用紙は、比較対象となる基準の「厚さ」がないことから、重送か否かを検知することができなかった。
もっとも、給紙トレイが複数ある場合、異なるタイプの用紙がセットされる場合があることから、給紙トレイを切替えた際の１枚目の用紙に対し、切替え前の用紙を比較対象としたら誤検知となる場合があり、むしろ、１枚目の用紙は重送か否かを検知しない構成になっていた。
【特許文献１】特開２００５−１５１６６公報（第５頁、図１）
【発明の開示】
【発明が解決しようとする課題】
【０００３】
上記した不具合は、異なるタイプの用紙か同じタイプの用紙かを問わず、複数の給紙トレイから用紙を給紙させて大量印刷を行う場合に発生するが、しかしながら、上記したように、給紙トレイを切替えた際の１枚目の用紙について重送か否かを検知していないことには問題があり、さらなる改良の余地があった。
そこで本発明は、このような状況に鑑みてなされたものであり、上記問題点を解決できる重送検知装置、画像形成装置を提供することを目的とする。
【課題を解決するための手段】
【０００４】
上記技術課題を達成するために、本発明にかかる重送検知装置、画像形成装置は、下記の技術的手段を講じた。
すなわち、請求項１にかかる重送検知装置は、用紙収納手段から搬送路に搬送される用紙が複数枚重なった状態で搬送される重送か否かを検知、判定する重送検知装置であって、前記用紙収納手段に収納される前記用紙と関連付けられた用紙情報の初期値が記憶されると共に前記用紙情報の更新内容が記憶される用紙情報記憶手段と、前記搬送路に設けられ、搬送中の前記用紙の透過状態を検出してその透過状態に基づいた前記用紙情報を検知する用紙情報検知手段と、該用紙情報検知手段で検知された１枚目の前記用紙情報と、前記用紙情報の初期値とを比較させて重送か否かを判断すると共に、重送でないと判断した場合に、前記用紙情報検知手段で検知された前記用紙情報を前記用紙情報記憶手段に更新記憶させて次の重送判断の被比較値とする制御手段と、を備えたことを特徴とする。
請求項２にかかる重送検知装置は、請求項１において、前記用紙収納手段は、前記用紙の送り出しを切り替え可能に複数設けられると共に、夫々の前記用紙収納手段から搬送される夫々の前記用紙は前記搬送路に搬送可能に構成され、前記用紙情報記憶手段は、夫々の前記用紙収納手段毎に収納される用紙毎に関連づけられた前記初期値が記憶され、前記制御手段は、前記用紙収納手段を切り替える度に、切り替えられた前記用紙と関連付けた前記初期値を用いて１枚目の前記用紙情報との比較をさせて重送か否かを判断することを特徴とする。
【０００５】
請求項３にかかる重送検知装置は、請求項２において、前記用紙情報検知手段は、発光部と受光部とが前記搬送路を挟んで対向するように配設されると共に、前記用紙の種類毎に前記発光部の発光量を関連付けて、複数設けられた前記用紙収納手段の切り替えに対応して前記発光部の発光量を調整可能に構成されていることを特徴とする。
請求項４にかかる重送検知装置は、請求項３において、前記用紙情報検知手段は、前記発光量の調整を入力可能に構成されていることを特徴とする。
請求項５にかかる重送検知装置は、請求項２乃至４の何れか一項において、夫々の前記用紙収納手段と関連付けられ、前記用紙を選択させる用紙情報設定手段を備えたことを特徴とする。
請求項６にかかる重送検知装置は、請求項１乃至５の何れか一項において、前記制御手段は、前記用紙情報検知手段により検知された１枚目の前記用紙の前記用紙情報と前記初期値とが著しく異なる場合、前記用紙収納手段と前記用紙とを関連付けに間違いがないかを報知させる報知手段を備えたことを特徴とする。
請求項７にかかる重送検知装置は、請求項３乃至５の何れか一項において、前記制御手段は、初期値としての前記用紙情報が、前記用紙情報検知手段により検知された１枚目の前記用紙の前記用紙情報と著しく異なる場合、前記発光部の発光量を替えて再度重送か否かを判断させることを特徴とする。
【０００６】
請求項８にかかる重送検知装置は、請求項１乃至７の何れか一項において、初期値としての前記用紙情報は、前記用紙の誘電率に基づいていることを特徴とする。
請求項９にかかる重送検知装置は、請求項１乃至８の何れか一項において、前記用紙収納手段に設けられ、該用紙収納手段に収納された前記用紙の誘電率を検出させる第２用紙情報検出手段を備え、前記制御手段は、前記第２用紙情報検出手段で検出された前記誘電率に基づいて前記用紙種類の検知及び前記初期値を導出させて前記用紙情報記憶手段に記憶させることを特徴とする。
請求項１０にかかる重送検知装置は、請求項１乃至９の何れか一項において、前記用紙情報検知手段は、ジャム信号を出力するジャム検知手段を兼ねており、前記用紙情報検知手段が所定時間に前記用紙を検出しないとき、前記制御手段は、ジャム信号が出力されたこととみなすことを特徴とする。
請求項１１にかかる画像形成装置は、請求項１乃至１０の何れか一項に記載の重送検知装置と電子写真方式の画像形成手段とを備えたことを特徴とする。
【発明の効果】
【０００７】
本発明によれば、搬送路に設けた用紙情報検知手段が、搬送中の、１枚目の用紙の透過状態を検出して、その透過状態に基づいた用紙情報を検知し、この用紙情報と、用紙情報記憶手段に記憶している用紙情報の初期値とを制御手段が比較して重送か否かを判断するから、重送検知の性能を向上させることができる。
また、制御手段は、その判断の結果が重送でないとした場合に、用紙情報検知手段で検知した用紙情報を用紙情報記憶手段に記憶して、次の用紙情報の被比較値とし、後から搬送してきた用紙の用紙情報と比較するから、上記した初期値のような理論値に基づいた用紙情報ではなく、実測値に基づいた用紙情報となり、重送検知の信頼性を向上させることができる。
また、用紙収納手段を複数設けた場合、用紙情報記憶手段は、夫々の用紙収納手段毎に収納された用紙の用紙情報の初期値を記憶し、制御手段は、用紙収納手段を切り替えても対応した初期値と、用紙情報検知手段の検出による切り替え後の１枚目の用紙情報とを比較するから、異なるタイプの用紙か同じタイプの用紙かを問わず、連続的に重送検知を行うことができる。
また、複数段階の異なる発光量による発光が可能な発光部と受光部とを備えて用紙情報検知手段を構成し、用紙収納手段に応じて発光部の発光量を選択可能に制御手段を構成したから、透過率のレンジが著しく違う用紙（例えば普通紙とＯＨＰフィルム）にも容易に対応することができる。
また、用紙収納手段に収納した用紙の誘電率を検出する第２用紙情報検出手段を設けて、その第２用紙情報検出手段で実際に収納された用紙の誘電率を検出し、その誘電率から導出した初期値と、その用紙とを関連付けするから、重送検知自体の精度を高めることができる。
【発明を実施するための最良の形態】
【０００８】
以下、図面を参照して、本発明の実施形態を詳細に説明する。
図１は、本実施の形態にかかる重送検知装置を備えた電子写真方式の画像形成装置の概略構成図である。まず、画像形成装置の概略を説明する。
本実施の形態にかかる画像形成装置は、図１に示すように、その中央に画像形成部１が配置され、この画像形成部１のすぐ下方に給紙部２（用紙収納手段）が配置されている。給紙部２は複数具備され、それぞれに給紙トレイ２１を備えている。画像形成部１の上方は、原稿を読取る読取部３が配設されている。画像形成部１の左側には排紙収納部４が設けられ、画像形成された用紙２０が排紙収納される。
画像形成部１には作像部６が配置され、ドラム状をした感光体６１の周囲には、表面に帯電処理を行う帯電部６２、画像情報を表面にレーザー光で照射する露光部７、表面に露光されて形成された静電潜像を可視化する現像部６３、及び感光体６１の残留するトナーを除去回収するクリーニング部６４が配置されている。
また、感光体６１上に形成されたトナー像を用紙２０に転写する転写部５１、トナー像を得た用紙上のトナーを、一対のローラ間を通過して熱と圧力を加えることによってトナー像を定着処理する定着部５２がそれぞれ配置されている。定着部５２を通過した用紙は排紙ローラ５３により排紙収納部４に排紙される。両面印刷時は、分岐部９１にて分岐され、反転両面部９で用紙２０が反転されてレジストローラ２３まで搬送し、レジストローラ２３で用紙２０のスキューが補正され、裏面画像形成動作に至る。
給紙部２においては、給紙トレイ２１に未使用の用紙２０が収容されており、回動可能に支持された底板２４が最上の用紙２０をピックアップローラ２５が当接可能な位置まで上昇する。給紙ローラ２６の回転により、最上の用紙２０は給紙トレイ２１から送り出され、レジストローラ２３へと搬送される。
【０００９】
レジストローラ２３は用紙２０の搬送を一時止め、感光体６１表面のトナー像と用紙２０の先端との位置関係が所定の位置になるよう、タイミングをとって回転が開始するよう制御される。
読取部３では、コンタクトガラス３１上に載置される原稿の読取り走査を行うために、原稿照明用光源とミラーよりなる読取走行体３２、３３が往復移動する。この読取走行体３２、３３により走査された画像情報は、レンズ３４の後方に設置されているＣＣＤ３５に画像信号として読込まれる。
この読込まれた画像信号は、画像処理部（図示せず）によってデジタル化され画像処理される。画像形成部１では、画像処理部によって処理された画像信号に基づいて、露光部７内のレーザダイオードＬＤ（図示せず）の発光により感光体６１の表面に静電潜像が形成される。ＬＤからの光信号は、公知のポリゴンミラーやレンズを介して感光体６１に至る。読取部３の上方には、原稿を自動的に搬送する自動原稿搬送装置１００が取り付けられるようになっている。
【００１０】
本実施の形態の画像形成装置は、上記したように原稿を読取りデジタル化して用紙に複写する、いわゆるデジタルコピー機としての機能の他に、原稿の画像情報を遠隔地と授受するファックスの機能や、コンピュータが扱う画像情報を用紙上に印刷するいわゆるプリンタの機能を有する多機能になっている。コピー機としての設定は、オペレータが任意に設定可能な操作部（図示せず）で行う。また、どの機能によって形成された画像もすべて排紙収納部４に排出される。
また、本実施の形態の画像形成装置は、給紙部２の自動切り替え機能を備えており、各給紙部２に同じ種類の用紙をセットし、その旨を設定しておくことで、給紙中の給紙部２の用紙２０が無くなり次第、次の給紙部２に切り替わるようになっている。
分岐爪９１にて分岐され反転両面部９を経由して、用紙を反転させ反転排紙ローラ５４を経由して排紙ローラ５３から排出された場合、排紙収納部４にスタックされた用紙は画像面が下面になった状態であり、コピー、ファクシミリ、プリンタで扱う原稿の処理順が１ページから行われて印刷されても、排紙収納部４から取り出したときに１ページ目が最上になっており、改めてページを揃えるなどの作業から開放される。
【００１１】
次に、本発明の要部である重送検知装置について詳述する。
（実施の形態１）
実施の形態１にかかる重送検知装置は、搬送路Ａに搬送される用紙２０が複数枚重なった状態で搬送される重送か否かを検知させるのに好適なものが例示されており、用紙情報記憶手段と、用紙情報検知手段と、用紙情報設定手段と、制御手段とを備えて構成される。なお、搬送路Ａとは、複数設けられた給紙部２（用紙収納手段）から排紙収納部４に至る用紙２０の行程部分とのことをいう。さらにこの搬送路Ａは、適宜設けたガイド材ａ１や回転駆動可能なローラ対などで構成されている。
用紙情報記憶手段は、後述する用紙情報検知手段によって検知された１枚目の用紙情報に対して重送か否かを判断させる用紙情報の初期値（閾値の初期値）が記録されていると共に、その用紙情報を情報更新可能なメモリを備えて構成されている。
なお、この「１枚目」とは、通常の画像形成をする度（スタートボタンを操作する度）の１枚目であり、画像形成装置の電源を入れた直後の画像形成時、給紙部２に用紙２０を補充した直後の画像形成時も含むものである。
この用紙情報の初期値は、普通紙、第二原図用紙、ＯＨＰフィルム等の用紙の種類によって異なる用紙夫々の誘電率に基づいた各用紙の数値情報であり、夫々の用紙２０と関連付けられている。
なお、本実施の形態では、用紙の誘電率に基づいて用紙情報の初期値としているが、用紙の透過率（透光率）等、用紙夫々の固有の情報であれば特に限定されない。
【００１２】
用紙情報検知手段は、図２に示すように、給紙部２から排紙収納部４に至る搬送路Ａのうち、給紙ローラ２６とレジストローラ２３とを結ぶ区間の搬送路Ａを形成させる一対のガイド材ａ１の中途部が開口され、その開口部ａ２に、搬送路Ａを挟んで発光部８１と受光部８２とが対向配置された透過型の光センサを備えて構成される。
本実施の形態では、用紙２０への作像開始以前に重送を検知できた方が好ましいことから、用紙情報検知手段を給紙ローラ２６とレジストローラ２３との間に配設している。また、この用紙情報検知手段は、給紙ローラ２６やレジストローラ２３、あるいはその間に設けた搬送ローラ２７等の近傍に配設することが、搬送される用紙の挙動が小さく、計測に誤差が生じにくいことから好ましいものである。
このように設けられた用紙情報検知手段は、搬送中の用紙２０自体（用紙通過の有無）の検出と同時に、そのとき透過状態によって変化する受光部８２の受光量に対応した数値情報からなる用紙情報を後述する制御手段に送信するようになっている。
【００１３】
また、発光部８１の発光量であるが、例えば、透過率の低い用紙を基準にして発光量を決定してしまうと、透過率の高い用紙では発光量が強すぎて測定可能範囲を超えてしまい、その逆に、透過率の高い用紙を基準にして発光量を決定してしまうと、透過率の低い用紙では発光量が弱すぎてしまい、測定に誤差が生じやすいなどの不具合が発生してしまう恐れがある。
そこで、普通紙、第二原図用紙、ＯＨＰフィルム等の透過率の著しく異なる各被計測物を、一つの透過型の光センサでもって精度よく計測させるために、発光部８１を、複数の給紙部２の中から給紙させる給紙部２に応じて、予め段階的に設定された発光量で発光させるようになっている。
例えば、上記の用紙で言えば、透過率の良い順として、ＯＨＰフィルム、第二原図用紙、普通紙となり、発光量は、ＯＨＰフィルムを小の発光量とし、第二原図用紙を中の発光量とし、普通紙を大の発光量とする。なお、この発光量を段階的にするのは、センサの特性・性能によるため、必ずしも必要ではない。
この段階的な発光量は、使用者（オペレータ）の意思でもって設定を替えるものではなく、後述する用紙情報設定手段によって入力された「用紙種類選択」によって装置側が自動的に切り替えるようになっている。
【００１４】
ここで、第二原図用紙の発光量を基準にした（「１」とした）普通紙とＯＨＰフィルムの発光量の倍率と、各用紙の透過率％（１枚時、２枚時）との関係を表１に示す。２枚用紙が重なった状態（重送）では、普通紙、第二原図用紙とも透過率は約半分となることがわかっている。ＯＨＰフィルムは透過率が著しく高いため、その差は僅かになっている。
［表１］
2008290810.tif 000003
さらに、この発光量は、情報に対応して微調整が可能になっている。すなわち、上記した例では、普通紙、第二原図用紙、ＯＨＰフィルム等、代表的な用紙種類で、かつ、標準的な用紙を基準にした初期値（閾値）のみなので、使用者がこれらから外れる用紙を用いた場合、重送か否かの検知精度が低下してしまう恐れがある。
そこで、後述する用紙情報設定手段を、例えば、標準的な厚さの用紙より薄手または厚手を用いた場合、「薄紙」「厚紙」選択ボタンや、用紙の厚さが標準より「＋」または「−」など直感的な入力操作が可能なボタンを備えて構成し、これに対応して発光量を微調整可能にして、標準的な用紙を基準にした初期値（閾値）を利用できるようにしている。なお、本実施の形態では、図３に示すように、「薄紙」「厚紙」選択ボタンを例示している。
また、この用紙情報検知手段は、給紙部２での給紙動作の際、例えば、ピックアップローラや給紙ローラ等に用紙が絡まってジャムが発生したか否かを検出させるジャム検知手段を兼ねている。すなわち、給紙部２の給紙動作が始まってから所定時間内に用紙が発光部８１と受光部８２との間を通過（遮光）しなかったとき、当然のことながら遮光をしなかった情報が制御手段に入力される。すなわち、この用紙情報検知手段はジャム信号を出力させるジャム検知手段にもなっている。
【００１５】
用紙情報設定手段は、タッチ入力可能な液晶パネルとテンキー等で構成された画像形成装置（本体）の入力表示部８３を利用しており、その液晶パネルに「用紙種類選択」や上記した発光量の微調整の入力を行うボタン等が表示され、夫々の給紙部２と関連付けられている。この「用紙種類選択」自体は、使用者が画像形成をする用紙の種類を選択するもので、画像形成装置の標準的な機能の一つであるが、実施の形態１では、この「用紙種類選択」による用紙の選択と同時に、用紙と関連付けされた用紙情報の初期値や、発光部８１の発光量（各用紙の標準的な発光量）が決定されるようになっている。
また、この用紙情報設定手段は、「用紙種類選択」機能を実現させるため、予め各給紙部２と各種類の用紙２０とを関連付けさせるための入力ができるようになっている。すなわち、「用紙種類選択」を選択入力することで、選択された「用紙」に対応した給紙部２が選択されるようになっている。
例えば、最上段の給紙部２と、２段目の給紙部２を普通紙とし、３段目の給紙部２を第二原図用紙とし、最下段の給紙部２をＯＨＰフィルムと選択入力したり、全ての給紙部２を普通紙と選択入力したり等、使用者の使用態様に応じて適宜、各給紙部２と用紙種類とを関連付けできるようになっている。この設定は、通常、予め行っておくもので、必要なときのみ呼び出して設定変更するようになっている。
制御手段は、用紙情報記憶手段と、用紙情報検知手段と、用紙情報設定手段と、画像形成装置（本体）を統括制御させて、各構成部を動作させるもので、その詳細は、以下の動作説明で行うものとする。
【００１６】
以上のように構成された実施の形態１にかかる重送検知装置を備えた画像形成装置の一連の動作を説明する。なお、各給紙部２と各種類の用紙２０との関連付けは予め設定されているものとし、また、画像形成を行う原稿等はセットされているものとする。
まず、図３に示すように、画像形成装置（本体）の入力表示部８３に表示した「用紙種類選択」に従って、画像形成を行う用紙２０を選択入力する。この用紙の選択入力によって、関連づけした給紙部２が選択される。例えば、「第二原図用紙」を選択することで、関連づけした給紙部２、例えば最上段の給紙部２が選択される。
なお、同じ「第二原図用紙」でも紙厚が厚いタイプや薄いタイプがある。その場合、「薄紙」「厚紙」選択ボタンを押動して発光部８１の発光量の微調整を行う。
次いで、画像形成装置の入力表示部８３を構成するテンキーボタンで画像形成枚数を入力し、「スタート」ボタンを押動することにより、原稿の読取り、潜像の形成等が開始する。これと略同時に、例えば最上段の給紙部２が用紙２０（第二原図用紙）を搬送路Ａに送り出す。
【００１７】
この給紙部２による用紙２０の送り出しを基点に、所定時間に達するまでタイムカウントを始めると同時に、発光部８１が用紙に応じた所定の発光量でもって発光して検出可能な状態に移行する。
この所定時間内に発光部８１と受光部８２との間を用紙２０が通過して発光部８１の発光を遮光（透過状態が変化）した時点で制御手段はジャムの発生なしとの判断をすると同時に、制御手段は、遮光時の受光部８２の受光量に対応した数値情報からなる用紙情報を得る。なお、所定時間内に発光部８１と受光部８２との間を用紙２０が通過しない場合、ジャムが発生したとしてその旨を画像形成装置（本体）の入力表示部８３に表示して装置を停止する。
制御手段は、ジャムの発生なしとの判断をしたら、用紙と関連付けした用紙情報の初期値（閾値の初期値）と、用紙情報検知手段による１枚目の用紙情報とを比較する。用紙情報検知手段による１枚目の用紙情報が初期値としての用紙情報に達していない場合は、「重送なし」と判断し、用紙情報検知手段による用紙情報が初期値としての用紙情報に達している場合、または超えている場合は、「重送あり」と判断して、その旨を画像形成装置（本体）の入力表示部８３に表示すると同時に、装置を停止する。この場合、排紙収納部４に用紙２０が排紙した直後装置を停止しても良い。
【００１８】
また制御手段が「重送なし」と判断した場合は、用紙情報検知手段によって得られた用紙情報を新たな閾値として用紙情報記憶手段に記録・更新し、一般的な電子写真方式の画像形成行程を続行する。なお、新たに更新する用紙情報は、用紙情報の初期値（閾値の初期値）に対して上書きするのではなく、用紙情報記憶手段の新たなメモリ領域に記録する。
また、入力設定した画像形成枚数が一枚である場合、用紙情報検知手段によって得られた用紙情報を新たな閾値としての更新を行わず処理を終了する。
複写枚数が複数枚の場合、１枚目の画像形成が終了（またはその直前）すると、給紙部２が２枚目の用紙２０（第二原図用紙）を搬送路Ａに送り出し、上記と同じく、制御手段によるジャムの発生の判断、２枚目の用紙情報と１枚目の用紙情報とを比較して重送の有無の判断を行う。この一連の動作は、画像形成枚数が終了するまで行う。なお、２枚目以降は、ｎ枚目の用紙情報とｎ−１枚目の用紙情報とを比較して重送の有無の判断を行う。
仮に、２段目の給紙部２も第二原図用紙に設定しておき、最上段の給紙部２の用紙がなくなった場合は、２段目の給紙部２に自動的に切り替わるが、このとき、用紙情報検知手段によって得られた切り替わり後の一枚目の用紙情報と、２段目の給紙部２にセットした用紙の用紙情報の初期値（閾値の初期値）とを比較する。
もちろん、２段目の給紙部２に第二原図用紙やＯＨＰフィルム等の用紙をセットしていた場合も、当然のことながら、用紙情報検知手段によって得られた一枚目の用紙情報と、２段目の給紙部２にセットした用紙の用紙情報の初期値（閾値の初期値）とを比較する。さらに連続して画像形成をする場合は、用紙情報検知手段によって得られた用紙情報を新たな閾値として用紙情報記憶手段に記録・更新する。
【００１９】
また、用紙情報の初期値（閾値の初期値）と、用紙情報検知手段による１枚目の用紙情報との比較の際、用紙情報の初期値と、用紙情報検知手段により検知された１枚目の用紙の用紙情報とが著しく異なる場合、図４に示すように、各給紙部２と各種類の用紙２０とを関連付けに間違いがないかを画像形成装置（本体）の入力表示部８３に表示して装置を停止する。
例えば、普通紙用として設定した給紙部２に、使用者が誤ってＯＨＰフィルムをセットしていた場合等、用紙の種類に応じて発光量を段階的に自動調整していても、用紙情報の初期値と、用紙情報検知手段により検知された１枚目の用紙の用紙情報とが、想定範囲を超えた差が生じることから、使用者による設定ミス、あるいは使用者による用紙セットミス等が推察でき、使用者に確認を促すメッセージを表示する。
他の例としては、用紙情報の初期値と、用紙情報検知手段により検知された１枚目の用紙の用紙情報とが著しく異なったら、発光部８１の発光量を他の用紙種類に関連付けた発光量に替えて再度重送か否かを判断することが挙げられる。この場合、各給紙部２と各種類の用紙２０との関連付けに間違いがあったか否かをも同時に判断することになり、画像形成装置（本体）の入力表示部８３に、給紙部にセットした用紙種類の確認を促すメッセージを表示する。
このような一連の制御を、所望の枚数の複写が終了するまで行う。そして、再度、画像形成を行う際（スタートボタンを押動する際）は、用紙と関連付けした用紙情報の初期値（閾値の初期値）と、用紙情報検知手段による１枚目の用紙情報とを比較する。
このように実施の形態１にかかる重送検知装置を備えた画像形成装置は、搬送路Ａに設けた用紙情報検知手段が、搬送中の、１枚目の用紙の透過状態を検出して、その透過状態に基づいた用紙情報を検知し、この用紙情報と、用紙情報記憶手段に記録している用紙情報の初期値とを制御手段が比較して重送か否かを判断するから、重送検知の性能を向上させることができる。
【００２０】
また、制御手段は、その判断の結果が重送でないとした場合に、用紙情報検知手段で検知した用紙情報を用紙情報記憶手段に記憶して次の用紙情報の被比較値とし、後から搬送してきた用紙の用紙情報と比較するから、上記した初期値のような理論値に基づいた用紙情報ではなく、実測値に基づいた用紙情報となり、重送検知の信頼性を向上させることができる。
また、用紙収納手段を複数設けた場合、用紙情報記憶手段は、夫々の用紙収納手段毎に収納された用紙の用紙情報の初期値を記憶し、制御手段は、用紙収納手段を切り替えても対応した初期値と、用紙情報検知手段の検出による切り替え後の１枚目の用紙情報とを比較するから、異なるタイプの用紙か同じタイプの用紙かを問わず、連続的に重送検知を行うことができる。
また、複数段階の異なる発光量による発光が可能な発光部８１と受光部８２とを備えて用紙情報検知手段を構成し、用紙収納手段に応じて発光部８１の発光量を選択可能に制御するように構成したから、透過率のレンジが著しく違う用紙（例えば普通紙とＯＨＰフィルム）にも容易に対応することができる。
【００２１】
（実施の形態２）
実施の形態１では、初期値が用紙情報記憶手段に既に記憶されていることを前提にした例であるが、この実施の形態２にかかる重送検知装置は、給紙部２に設けた第２用紙情報検出手段が、画像形成をする度（スタートボタンを操作する度）や、画像形成装置の電源を入れた直後、給紙部２に用紙２０を補充した直後などの際に、給紙トレイ２１に収納した用紙２０の誘電率を検出し、制御手段が、その誘電率から初期値を導出して、その都度、用紙情報記憶手段に記録する例である。
すなわち、実施の形態１では、用紙情報の初期値と用紙とが予め関連付けられており、各給紙部２と各種類の用紙２０とを関連付けるための入力を行うことで、「用紙種類選択」による用紙２０の選択と同時に、用紙２０と関連付けされた用紙情報の初期値や、発光部８１の発光量（各用紙の標準的な発光量）が決定されるようになっているが、実施の形態２では、「用紙種類選択」機能を実現させるために、各給紙部２と各種類の用紙２０とを関連付けるための入力を予め行い、画像形成をする度（スタートボタンを操作する度）や、画像形成装置の電源を入れた直後、給紙部２に用紙２０を補充した直後などの際に、給紙トレイ２１に収納した用紙２０の誘電率を、図２に示すように、給紙トレイ２１に設けた誘電率検出センサ８４（第２用紙情報検出手段）で検出し、制御手段が、その誘電率から初期値を導出し、その初期値と用紙（給紙部２）とを関連付けるようになっており、その他の構成、動作は、実施の形態１と同じでるため、詳細な説明は省略する。
この実施の形態２にかかる重送検知装置によれば、給紙トレイ２１に収納した用紙２０の誘電率を誘電率検出センサ８４が検出し、その誘電率から導出した初期値と、その給紙トレイ２１に収納した用紙（給紙部２）とを直接関連付けるから、重送検知自体の精度を高めることができる。
以上、本実施の形態を説明したが、上述した実施の形態は、本発明の好適な実施の形態の一例を示すものであり、本発明はそれに限定されるものではなく、その要旨を逸脱しない範囲内において、種々変形実施が可能である。
【図面の簡単な説明】
【００２２】
【図１】本実施の形態にかかる重送検知装置を備えた画像形成装置の概略構成図である。
【図２】用紙情報検知手段の配設を示した模式図である。
【図３】用紙情報設定手段の表示例を示した模式図である。
【図４】用紙情報設定手段の表示例を示した模式図である。
【符号の説明】
【００２３】
Ａ…搬送路  ａ１…ガイド材  ａ２…開口部  ２…給紙部  ２０…用紙  ８１…発光部  ８２…受光部  ８３…入力表示部
【図１】
2008290810.tif 000004
【図２】
2008290810.tif 000005
【図３】
2008290810.tif 000006
【図４】
2008290810.tif 000007